(57)【要約】      （修正有）【課題】複数フレームをエンコード単位とし、かつエンコード処理とデコード処理を切り換えて実行する記録再生装置において、インサート編集などの編集記録が適切に実行できるようにする。【解決手段】編集記録を行う際に、エンコード／デコード手段を編集開始点に先だってエンコードモードに切り換えておく。また編集開始点、編集終了点にかかわらず、エンコード単位の先頭フレームのタイミングでエンコード／デコード手段にエンコード処理を開始させ、またエンコード単位の終端フレームのタイミングでエンコード／デコード手段に上記エンコード処理を終了させる。エンコード処理したエンコード単位の映像データを一時記憶手段に記憶するようにし、編集開始点を含むエンコード単位の映像データから、編集終了点を含むエンコード単位の映像データまでの範囲が記録媒体に記録される。【選択図】図３
2008171533.tif 000002
【特許請求の範囲】
【請求項１】
記録媒体に対して映像データの書込及び読出を行う記録再生手段と、
上記記録媒体に書き込む映像データを生成するエンコード処理と、上記記録媒体から読み出された映像データのデコード処理とを選択的に実行するとともに、上記エンコード処理では、複数フレームである所定フレーム数をエンコード単位として処理を行うエンコード／デコード手段と、
上記記録媒体に記録された映像データについて、編集開始点までの再生を実行させた後、編集開始点から入力映像データに書き換える編集記録を行う際に、上記編集開始点に至るまでの再生実行期間に、上記エンコード単位の先頭フレームのタイミングで上記エンコード／デコード手段に上記エンコード処理を開始させるように制御する制御手段と、
を備えたことを特徴とする記録再生装置。
【請求項２】
上記エンコード／デコード手段でのエンコード処理された映像データを一時記憶する一時記憶手段をさらに備え、
上記再生実行期間において上記一時記憶手段に記憶される、上記編集開始点を含まないエンコード単位の映像データについては破棄され、
上記編集開始点を含むエンコード単位以降のエンコード単位の映像データは、上記一時記憶手段から上記記録再生手段に供給されて上記記録媒体に記録されることを特徴とする請求項１に記載の記録再生装置。
【請求項３】
上記記録媒体には、高解像度の主映像データと低解像度の副映像データとが記録され、
上記エンコード／デコード手段は、上記副映像データのエンコード処理及びデコード処理を行うことを特徴とする請求項１に記載の記録再生装置。
【請求項４】
記録媒体に対して映像データの書込及び読出を行う記録再生手段と、
上記記録媒体に書き込む映像データを生成するエンコード処理と、上記記録媒体から読み出された映像データのデコード処理とを選択的に実行するとともに、上記エンコード処理では、複数フレームである所定フレーム数をエンコード単位として処理を行うエンコード／デコード手段と、
上記記録媒体に記録された映像データについて、編集開始点から編集終了点までを入力映像データに書き換える編集記録を行う際に、上記編集終了点に至って記録媒体からの再生を開始させた後、上記エンコード単位の終端フレームまでのエンコード処理を行ったタイミングで上記エンコード／デコード手段に上記エンコード処理を終了させるように制御する制御手段と、
を備えたことを特徴とする記録再生装置。
【請求項５】
上記エンコード／デコード手段でのエンコード処理された映像データを一時記憶する一時記憶手段をさらに備え、
上記編集終了点を含むエンコード単位の映像データは、上記一時記憶手段から上記記録再生手段に供給されて上記記録媒体に記録され、
上記再生実行期間において上記一時記憶手段に記憶される、上記編集終了点を含まないエンコード単位の映像データは破棄されることを特徴とする請求項４に記載の記録再生装置。
【請求項６】
上記記録媒体には、高解像度の主映像データと低解像度の副映像データとが記録され、
上記エンコード／デコード手段は、上記副映像データのエンコード処理及びデコード処理を行うことを特徴とする請求項４に記載の記録再生装置。
【請求項７】
記録媒体に対して映像データの書込及び読出を行う記録再生手段と、上記記録媒体に書き込む映像データを生成するエンコード処理と上記記録媒体から読み出された映像データのデコード処理とを選択的に実行するとともに上記エンコード処理では複数フレームである所定フレーム数をエンコード単位として処理を行うエンコード／デコード手段とを備えた記録再生装置において、上記記録媒体に記録された映像データについて編集開始点以降を入力映像データに書き換える編集記録方法として、
上記記録媒体に対して、上記編集開始点より前の映像ポイントからの再生を開始し、
再生実行期間に、上記エンコード単位の先頭フレームのタイミングで上記エンコード／デコード手段に上記エンコード処理を開始させ、
上記編集開始点を含むエンコード単位以降の、各エンコード単位の映像データを、上記記録再生手段に供給して上記記録媒体に記録することを特徴とする編集記録方法。
【請求項８】
記録媒体に対して映像データの書込及び読出を行う記録再生手段と、上記記録媒体に書き込む映像データを生成するエンコード処理と上記記録媒体から読み出された映像データのデコード処理とを選択的に実行するとともに上記エンコード処理では複数フレームである所定フレーム数をエンコード単位として処理を行うエンコード／デコード手段とを備えた記録再生装置において、上記記録媒体に記録された映像データについて編集開始点から編集終了点までを入力映像データに書き換える編集記録方法として、
上記編集終了点に至るまでは、上記エンコード／デコード手段でエンコード処理を実行させて各エンコード単位の映像データを上記記録媒体に記録させ、
上記編集終了点に至ることに応じて上記記録媒体からの再生を開始させ、
上記編集終了点を含むエンコード単位の映像データは、上記記録媒体に記録させ、
上記編集終了点に至って記録媒体からの再生を開始させた後において、上記エンコード単位の終端フレームまでのエンコード処理を行ったタイミングで上記エンコード／デコード手段に上記エンコード処理を終了させることを特徴とする編集記録方法。
【発明の詳細な説明】
【技術分野】
【０００１】
本発明は、光ディスク等の記録媒体に対して映像データの記録再生を行う記録再生装置と、その編集記録方法に関する。
【背景技術】
【０００２】
【特許文献１】特開２００４−１５３７９３号公報
【特許文献２】特開２００４−１５３７９１号公報
【特許文献３】特開２００５−０２５８３３号公報
【０００３】
例えばＤＶＤ（Digital Versatile Disc）やブルーレイディスク（Blu-ray Disc：登録商標）等の光ディスクに対して映像データを記録再生する記録再生装置（ディスクレコーダ）が開発されている。
またこれらの記録再生装置において、特に業務用機器では、主たる映像データとして高解像度の映像データ（以下、本線映像データ）の記録再生を行うともに、低解像度の副映像データ（以下、プロキシ映像データ）を記録再生するものも知られている。
プロキシ映像データは、例えば本線映像データの内容の確認や編集作業のガイドなどとして用いられる。
【発明の開示】
【発明が解決しようとする課題】
【０００４】
ここで本発明に至る前提の１つとして、光ディスク等の記録媒体に映像データを記録する際に、映像データの所定フレーム数をエンコード単位としてエンコード処理を行う場合があるということを考える。
例えば上記のように本線映像データとプロキシ映像データを記録するディスクレコーダにおいては、本線映像データについては１フレーム単位で記録用のエンコードを行うが、プロキシ映像データは、例えば１０フレームなどの所定フレーム数を単位として記録用のエンコードを行うものがある。
【０００５】
またさらに本発明に至る前提の１つとして、ディスクレコーダのハードウエア構成において、例えばプロキシ映像データの記録時のエンコード処理及び再生時のデコード処理のために１つのＤＳＰ（Digital Signal Processor）を用いることを考える。もちろん、エンコード処理用のＤＳＰと、デコード処理用のＤＳＰをそれぞれ別個に備えるようにしても良いが、ハードウエア構成の簡略化やコストダウンという観点と、さらに通常はエンコード処理は記録時のみに実行し、またデコード処理は再生時のみに実行するという事情から、１つのＤＳＰでエンコード処理とデコード処理を選択的に切り換えて実行できるようにすることが好適である。
【０００６】
次にディスクレコーダ等の記録再生装置でインサート編集を行うことを考える。
既に知られているようにインサート編集では、記録媒体に記録された、時間的に連続して再生される映像データの一部を、他の映像データに差し替えるような編集記録が行われる。
即ちインサート編集は、既に記録された映像データにおける或る映像ポイントを編集開始点（ｉｎ点）、或る映像ポイントを編集終了点（ｏｕｔ点）とし、この編集開始点から編集終了点までの映像データを、入力される映像データに書き換えるような編集記録動作である。
【０００７】
上記の前提を踏まえて、このようなインサート編集をディスクレコーダ等の記録再生装置で実行するようにすると、次のような不都合が生ずることがある。
【０００８】
例えば本線映像データをインサート編集する際には、その本線映像データを書き換えた映像区間に対応するプロキシ映像データの映像区間も書き換えることになる。これは、編集開始点としての映像ポイントから、入力される映像データをエンコードしてプロキシ映像データを生成する必要があることになる。
すると、上記のようにエンコーダ及びデコーダとして機能する１つのＤＳＰを用いることを考えると、編集開始点となったタイミングで、当該ＤＳＰをデコードモードからエンコードモードに切り換えなければならない。
ところがＤＳＰにおいてデコードモードからエンコードモードへの切換に要する時間の都合上（例えばＤＳＰのモード切換には少なくとも数フレーム分の時間がかかる）、エンコード開始が間に合わないということが発生する。この場合、編集開始点となった映像ポイントから、プロキシ映像データも書き換えるということができないこととなる。
【０００９】
また、プロキシ映像データが例えば１０フレームなどの所定フレーム数のエンコード単位でエンコード処理されるものとした場合、編集開始点、編集終了点が、これらのエンコード単位の切れ目に常に一致するわけではない。現実には一致しない方が多い。
すると、例えばＤＳＰが編集開始点とされたフレームのタイミングからエンコード可能とされていたとしても、適切なエンコードができないことになる。インサート編集では編集開始点の前後も連続した映像データとされるため、編集開始点の前後でも正しくエンコード単位の整合がとれていなければならないためである。編集終了点についても事情は同じである。
【００１０】
そこで本発明では、複数フレームをエンコード単位とし、かつエンコード処理とデコード処理を切り換えて実行する記録再生装置において、インサート編集などの編集記録が適切に実行できるようにすることを目的とする。
【課題を解決するための手段】
【００１１】
本発明の記録再生装置は、記録媒体に対して映像データの書込及び読出を行う記録再生手段と、上記記録媒体に書き込む映像データを生成するエンコード処理と、上記記録媒体から読み出された映像データのデコード処理とを選択的に実行するとともに、上記エンコード処理では、複数フレームである所定フレーム数をエンコード単位として処理を行うエンコード／デコード手段と、上記記録媒体に記録された映像データについて、編集開始点までの再生を実行させた後、編集開始点から入力映像データに書き換える編集記録を行う際に、上記編集開始点に至るまでの再生実行期間に、上記エンコード単位の先頭フレームのタイミングで上記エンコード／デコード手段に上記エンコード処理を開始させるように制御する制御手段とを備える。
また上記エンコード／デコード手段でのエンコード処理された映像データを一時記憶する一時記憶手段をさらに備え、上記再生実行期間において上記一時記憶手段に記憶される、上記編集開始点を含まないエンコード単位の映像データについては破棄され、上記編集開始点を含むエンコード単位以降のエンコード単位の映像データは、上記一時記憶手段から上記記録再生手段に供給されて上記記録媒体に記録されるようにする。
また上記記録媒体には、高解像度の主映像データ（例えば本線映像データ）と低解像度の副映像データ（例えばプロキシ映像データ）とが記録され、上記エンコード／デコード手段は、上記副映像データのエンコード処理及びデコード処理を行う。
【００１２】
また本発明の記録再生装置は、上記同様の記録再生手段と、上記同様のエンコード／デコード手段と、上記記録媒体に記録された映像データについて、編集開始点から編集終了点までを入力映像データに書き換える編集記録を行う際に、上記編集終了点に至って記録媒体からの再生を開始させた後、上記エンコード単位の終端フレームまでのエンコード処理を行ったタイミングで上記エンコード／デコード手段に上記エンコード処理を終了させるように制御する制御手段とを備える。
また上記エンコード／デコード手段でのエンコード処理された映像データを一時記憶する一時記憶手段をさらに備え、上記編集終了点を含むエンコード単位の映像データは、上記一時記憶手段から上記記録再生手段に供給されて上記記録媒体に記録され、上記再生実行期間において上記一時記憶手段に記憶される、上記編集終了点を含まないエンコード単位の映像データは破棄されるようにする。
また上記記録媒体には、高解像度の主映像データ（例えば本線映像データ）と低解像度の副映像データ（例えばプロキシ映像データ）とが記録され、上記エンコード／デコード手段は、上記副映像データのエンコード処理及びデコード処理を行う。
【００１３】
本発明の編集記録方法は、上記同様の記録再生手段と、上記同様のエンコード／デコード手段とを備えた記録再生装置において、上記記録媒体に記録された映像データについて編集開始点以降を入力映像データに書き換える編集記録方法として、上記記録媒体に対して、上記編集開始点より前の映像ポイントからの再生を開始し、再生実行期間に、上記エンコード単位の先頭フレームのタイミングで上記エンコード／デコード手段に上記エンコード処理を開始させ、上記編集開始点を含むエンコード単位以降の、各エンコード単位の映像データを、上記記録再生手段に供給して上記記録媒体に記録する。
【００１４】
また本発明の編集記録方法は、上記同様の記録再生手段と、上記同様のエンコード／デコード手段とを備えた記録再生装置において、上記記録媒体に記録された映像データについて編集開始点から編集終了点までを入力映像データに書き換える編集記録方法として、上記編集終了点に至るまでは、上記エンコード／デコード手段でエンコード処理を実行させて各エンコード単位の映像データを上記記録媒体に記録させ、上記編集終了点に至ることに応じて上記記録媒体からの再生を開始させ、上記編集終了点を含むエンコード単位の映像データは、上記記録媒体に記録させ、上記編集終了点に至って記録媒体からの再生を開始させた後において、上記エンコード単位の終端フレームまでのエンコード処理を行ったタイミングで上記エンコード／デコード手段に上記エンコード処理を終了させる。
【００１５】
以上の本発明についての第１の要点は、インサート編集等の編集記録を行う際に、エンコード／デコード手段を編集開始点に先だってエンコード処理を実行するエンコードモードに切り換えておくことにある。
また第２の要点は、編集開始点、編集終了点にかかわらず、上記エンコード単位の先頭フレームのタイミングで上記エンコード／デコード手段に上記エンコード処理を開始させ、また上記エンコード単位の終端フレームまでのエンコード処理を行ったタイミングで上記エンコード／デコード手段に上記エンコード処理を終了させることにある。
さらに第３の要点は、エンコード処理したエンコード単位の映像データを一時記憶手段に記憶するようにし、編集開始点を含むエンコード単位の映像データから、編集終了点を含むエンコード単位の映像データまでの範囲が記録媒体に記録される対象とされ、編集開始点を含むエンコード単位より前のエンコード単位の映像データ、及び編集終了点を含むエンコード単位の映像データより後のエンコード単位の映像データは破棄されるようにすることにある。
【発明の効果】
【００１６】
本発明によれば、編集記録を行う際に、エンコード／デコード手段を編集開始点に先だってエンコードモードに切り換えておくことで、エンコード開始タイミングが遅れる事態を解消できる。
またエンコード単位の先頭フレームのタイミングで上記エンコード／デコード手段に上記エンコード処理を開始させ、また上記エンコード単位の終端フレームまでのエンコード処理を行ったタイミングで上記エンコード／デコード手段に上記エンコード処理を終了させることで、複数フレームをエンコード単位として記録するシステムにおいて、編集開始点の前後、編集終了点の前後のエンコード単位の整合を取ることができる。つまり編集開始点、編集終了点がエンコード単位の切れ目と一致していなくても、エンコード単位の整合が崩れることはない。
また、編集開始点を含むエンコード単位の映像データから、編集終了点を含むエンコード単位の映像データまでの範囲が記録媒体に記録される対象とされることで、記録媒体に編集記録された映像データは、編集開始点、編集終了点を境に書き換えられた映像内容が正しく反映されたものとすることができる。
そして以上のことから、１つのＤＳＰ等によるエンコード／デコード手段を備え、かつ複数フレームがエンコード単位とされる記録再生装置において、インサート編集等の編集記録を適切に実行できるという効果がある。
【発明を実施するための最良の形態】
【００１７】
以下、本発明の実施の形態を、図１〜図７を用いて、光ディスク９０に対して映像データの記録再生を行うディスクレコーダ１を例に挙げて説明する。
図１は、ディスクレコーダ１の構成例を示している。
【００１８】
このディスクレコーダ１は、編集指示装置２０からの各種コマンドに応じて光ディスク９０に対する記録動作、再生動作等を行う。特に後述するインサート編集に関連しては、編集指示装置２０からのコマンド（編集指示）として、エディット開始要求、プレイ開始要求、ＲＥＣ開始要求（記録開始要求）、ＲＥＣ終了要求（記録終了要求）、プレイ終了要求、エディット終了要求が発行される。ディスクレコーダ１では、これらのコマンドに応じてインサート編集等の編集記録動作が実行される。
編集指示装置２０は、オペレータの操作や、編集開始点、編集終了点の設定などに応じて、これらのコマンドを発行する。
【００１９】
ディスクレコーダ１は、記録再生ヘッド部２と、記録再生用メモリ３と、記録再生処理部４と、制御部５と、プロキシ処理ＤＳＰ６と、プロキシ用一時バッファ７と、映像入力部８と、プロキシ映像出力部９と、本線映像出力部１０とを有する。
【００２０】
記録再生ヘッド部２は、装填された光ディスク９０に対するデータ書込／読出を行う。即ち記録再生ヘッド部２には、光ディスク９０を回転駆動するスピンドル機構、光ディスク９０に対してレーザ照射を行って情報の書込／読出を行うピックアップ機構、ピックアップ機構やスピンドル機構の動作を制御するサーボ機構などが備えられている。
本例の場合、光ディスク９０には映像データとして、高解像度の本線映像データと、低解像度のプロキシ映像データが記録されるものとしている。記録再生ヘッド部２は、これらの映像データについての書込／読出を実行する。
【００２１】
記録再生用メモリ３は、記録再生ヘッド部２による光ディスク９０についての映像データの書込／読出の際のデータをバッファリングするメモリである。
この記録再生用メモリ３には、本線映像メモリエリア３ａとプロキシ映像メモリエリア３ｂが用意される。
再生時には、記録再生ヘッド部２により光ディスク９０から読み出された情報として、本線映像の読出データが本線映像メモリエリア３ａに一時的に格納され、またプロキシ映像の読出データがプロキシ映像メモリエリア３ｂに格納される。これら一時的に格納された読出データは、所定のタイミングで読み出されて記録再生処理部４に供給される。
また記録時には、記録再生処理部４から供給される本線映像データとしての書込データが本線映像メモリエリア３ａに一時的に格納され、またプロキシ用一時バッファ７から供給されるプロキシ映像データとしての書込データがプロキシ映像メモリエリア３ｂに格納される。これら一時的に格納された書込データは、所定のタイミングで読み出されて記録再生ヘッド部２に供給され、光ディスク９０へ記録される。
【００２２】
記録再生処理部４は、制御部５の制御に基づいて、本線映像データ処理を行う。
映像入力部８からの映像信号を光ディスク９０に記録する際には、記録再生処理部４は、映像入力部８から入力された映像信号Ｖｉｎを１フレーム単位で所定の記録用のデジタルデータに変換して本線映像データとしての書込データを生成し、記録再生用メモリ３（本線映像メモリエリア３ａ）に供給する処理を行う。
また光ディスク９０に対する再生時には、記録再生処理部４は、光ディスク９０から読み出され記録再生用メモリ３を介して供給された読出データを、本線映像データとしての再生映像信号（本線映像信号ＶＨ）に変換する処理を行う。再生された本線映像信号ＶＨは、本線映像出力部１０から例えばモニタ装置等へ供給される。
【００２３】
プロキシ処理ＤＳＰ６は、プロキシ映像データに関するデコーダ及びエンコーダとして選択的に機能する。デコード処理を実行するデコードモードとエンコード処理を実行するエンコードモードは、制御部５からの制御によって切り換えられる。
映像入力部８からの映像信号Ｖｉｎを光ディスク９０に記録する際には、プロキシ処理ＤＳＰ６は記録再生処理部４から供給される映像データに対してエンコード処理を行い、プロキシ映像データＶＬencを生成する。エンコード処理により生成されたプロキシ映像データＶＬencは、プロキシ用一時バッファ７を介して記録再生用メモリ３（プロキシ映像メモリエリア３ｂ）に供給される。
また光ディスク９０に対する再生時には、プロキシ処理ＤＳＰ６は、光ディスク９０から読み出され記録再生用メモリ３及び記録再生処理部４を介して供給されたプロキシ映像データの読出データについてデコード処理を行ってプロキシ映像としての再生映像信号（プロキシ映像信号ＶＬdec）を生成する。再生されたプロキシ映像信号ＶＬdecはプロキシ映像出力部９から例えばモニタ装置等へ供給される。
【００２４】
プロキシ用一時バッファ７は、プロキシ処理ＤＳＰ６でのエンコード処理で生成されたプロキシ映像データＶＬencを一時的に記憶する。なお、実際の構成としては、このプロキシ用一時バッファ７としては、記録再生用メモリ３として用いるメモリ（Ｄ−ＲＡＭ、Ｓ−ＲＡＭ等）の一部の領域を割り当てるようにしてもよい。
本例ではプロキシ処理ＤＳＰ６においては、例えば映像信号の１０フレームを１つのＧＯＰ（Group of Pictures）として扱い、このＧＯＰ単位でエンコード処理を行う。プロキシ映像データＶＬencは、ＧＯＰ単位でエンコードされたデータであるため、プロキシ映像データＶＬencを直接記録再生用メモリ３のプロキシ映像メモリエリア３ｂに記憶させていき、これが光ディスク９０に書き込まれていくと不都合が生ずることがある。即ちＧＯＰの途中でプロキシ映像データＶＬenc生成（エンコード処理）が終了されたり開始されたりした場合に、光ディスク９０上のプロキシ映像データを破壊することも生ずる。このようなことを防ぐために、プロキシ用一時バッファ７は、ＧＯＰが確定するまではプロキシ映像データＶＬencを一時的に格納し、ＧＯＰが確定してから、そのプロキシ映像データＶＬencを記録再生用メモリ３のプロキシ映像メモリエリア３ｂにコピーするという動作を行うことにしている。
【００２５】
制御部５（制御タスク）は、編集指示装置２０からのコマンドに応じて、以上の各部の動作を制御し、当該ディスクレコーダ１において必要な動作が実行されるようにする。
特に制御部は、編集記録動作に関しては、次のような制御を行う。
まず編集中の再生時はプロキシ処理ＤＳＰ６をエンコードモードに切り替える制御を行う。
また編集中の再生時は記録再生処理部４が、記録再生用メモリ３のデータ（つまり光ディスク９０からの読出データ）を入力して処理するように指示する。この場合、処理対象の映像信号は本線映像出力部１０とプロキシ処理ＤＳＰ６に供給させる。
また編集中の記録時は、記録再生処理部４が映像入力部８からの入力映像信号Ｖｉｎを処理するように指示する。この場合入力映像信号Ｖｉｎから生成した本線映像データを記録再生用メモリ３に供給させるとともにプロキシ処理ＤＳＰ６に供給させる。
【００２６】
以上のようなディスクレコーダ１において、インサート編集記録を行う場合の動作を図２〜図７で説明する。
まず図２で、インサート編集記録の際の制御シーケンスを述べ、その後、図３以降で制御シーケンスに基づいて実行される動作を説明していく。
【００２７】
図２は編集指示装置２０からのコマンドに応じて制御部５が記録再生処理部４及びプロキシ処理ＤＳＰ６に与える指示と、それに応じた記録再生処理部４、プロキシ処理ＤＳＰ６、プロキシ用一時バッファ７における動作を示している。
【００２８】
インサート編集記録を行う際には、まず編集指示装置２０は時点ｔ０でエディット開始要求を発行する。これにより制御部５は編集記録のモードに入る。例えば再生の準備として、編集開始点に先立つ或る映像ポイントからの再生が行われるように準備する。
次に編集指示装置２０は制御部５に対して、時点ｔ１でプレイ開始要求を発行する。制御部５はプレイ開始要求に応じて、ディスクレコーダ１の本体動作として再生を開始させる。
またこのプレイ開始要求があると、制御部５はプロキシ処理ＤＳＰ６に対してストップ要求を発行する。プロキシ処理ＤＳＰ６は、通常はデコードモードとされており、このストップ要求とは、デコードモードを終了させ、エンコードモードに切り換える準備の指示である。プロキシ処理ＤＳＰ６は、ストップ要求に応じてデコードモードを終了し、ストップ状態（モード切換待機状態）に入る。
また制御部は、記録再生処理部４に対して、出力元のデータとして、記録再生用メモリ３のデータを選択するように指示する。つまり記録再生処理部４に対して、光ディスク９０からの読出データを処理対象とする状態への切り換えを指示する。
以上により、光ディスク９０からの再生が行われ、記録再生処理部４で読出データが処理されて、再生された本線映像信号ＶＨが得られ、これがモニタ装置等に供給されることになる。
【００２９】
このように再生が開始された後、制御部５は再生された映像信号のフレームを確認しており、プロキシ処理ＤＳＰ６がストップ状態になった後において或るＧＯＰの先頭フレームとなったタイミングで、プロキシ処理ＤＳＰ６に対してエンコード要求を発行する。
プロキシ処理ＤＳＰ６はエンコード要求に応じてエンコードモードを開始する。これによって記録再生処理部４から供給される映像信号（つまり光ディスク９０から読み出された映像信号）からプロキシ映像データＶＬencを生成する動作が開始される。
なお、この段階では、生成されてプロキシ用一時バッファ７に格納されたプロキシ映像データＶＬencは、破棄されるものとなる。
【００３０】
次に編集開始点のタイミングとなる時点ｔ２で、編集指示装置２０から制御部５にＲＥＣ開始要求が供給される。制御部５はＲＥＣ開始要求に応じて、ディスクレコーダ１の本体動作として記録を開始させる。
またこのとき、記録動作を実行するため、記録再生処理部４に対しては、出力元のデータを映像入力部８からの入力映像信号Ｖｉｎとするように指示する。つまり記録再生処理部４に対して、光ディスク９０への書込のために入力映像信号Ｖｉｎから本線映像データとしての書込データを生成する処理状態への切り換えを指示する。この場合、生成された本線映像データとしての書込データは、記録再生用メモリ３の本線映像メモリエリア３ａに供給され、記録再生ヘッド部２により光ディスク９０に書き込まれていく。
また、記録再生処理部４は入力映像信号Ｖｉｎをプロキシ処理ＤＳＰ６に供給する。つまりこの時点で、プロキシ処理ＤＳＰ６が処理する映像信号が、光ディスク９０から再生された映像信号から入力映像信号Ｖｉｎに切り換えられる。これによりプロキシ処理ＤＳＰ６では引き続いて入力映像信号Ｖｉｎについてエンコード処理を行うものとなり、入力映像信号Ｖｉｎに応じた映像内容のプロキシ映像データＶＬencを生成する。生成されてプロキシ用一時バッファ７に格納されたプロキシ映像データＶＬencは、ＧＯＰ確定に応じて記録再生用メモリ３のプロキシ映像メモリエリア３ｂに記憶され、記録再生ヘッド部２により光ディスク９０に書き込まれていく。
【００３１】
編集終了点のタイミングとなる時点ｔ３で、編集指示装置２０から制御部５にＲＥＣ終了要求が供給される。制御部５はＲＥＣ終了要求に応じて、ディスクレコーダ１の本体動作として記録を終了させ、再生動作に移行させる。
またこのとき、再生動作に切り換えることに応じて、記録再生処理部４に対しては、出力元のデータを記録再生用メモリ３からのデータとするように指示する。つまり記録再生処理部４に対して、光ディスク９０からの読出データを処理対象とする状態への切り換えを指示する。
この時点で、プロキシ処理ＤＳＰ６に供給される映像信号は、入力映像信号Ｖｉｎから、光ディスク９０から再生された映像信号に切り換えられる。プロキシ処理ＤＳＰ６は引き続きエンコード処理を続行する。生成されてプロキシ用一時バッファ７に格納されたプロキシ映像データＶＬencについては、編集終了点を含むＧＯＰのプロキシ映像データＶＬencは記録再生用メモリ３のプロキシ映像メモリエリア３ｂに記憶され、記録再生ヘッド部２により光ディスク９０に書き込まれるが、以降のＧＯＰ単位のプロキシ映像データＶＬencは破棄されるものとなる。
【００３２】
その後、時点ｔ４で編集指示装置２０から制御部５にプレイ終了要求が発行されると、制御部５はディスクレコーダ１の再生動作を終了させる。また制御部５は、或るＧＯＰの終端フレームまでのエンコード処理を行ったタイミングでプロキシ処理ＤＳＰ６に対してストップ要求を発行し、エンコード処理を終了させる。
そして時点ｔ５で編集指示装置２０から制御部５にエディット終了要求が発行されることで、一連のインサート編集記録としての動作が終了される。
【００３３】
以上の制御シーケンスによって実現される動作を図３〜図７で説明する。
図３はインサート編集記録を実行する期間の各部の状態を示しており、また図４、図５，図６、図７は、各時点でのデータの流れを示したものである。
【００３４】
図３では、再生ＧＯＰとして、ＧＯＰ１、ＧＯＰ２、ＧＯＰ３・・・を示しているが、これは光ディスク９０に記録された映像データの例えば１０フレーム単位を時間軸上で示しているものである。つまりプロキシ映像データＶＬencとしてのエンコード単位である。
本体動作の「ＰＬＡＹ」「ＲＥＣ」は、それぞれディスクレコーダ１が再生中、記録中であることを示している。
記録再生処理部４については、「再生映像処理」とは、ディスク９０からの読出データを処理対象としている状態を示し、「入力映像処理」とは、入力映像信号Ｖｉｎを処理対象としている状態を示している。
プロキシ処理ＤＳＰ６についての「ＤＥＣ」はデコードモード、「ＥＮＣ」はエンコードモード、「ＳＴＯＰ」はモード切換の為の停止期間を示している。
プロキシ用一時バッファ７については、蓄積されたプロキシ映像データＶＬencの扱いを示しており、「破棄」は蓄積されたＧＯＰ単位のプロキシ映像データＶＬencを破棄すること、また「採用」は蓄積されたＧＯＰ単位のプロキシ映像データＶＬencを光ディスク９０に記録するデータとして採用することを示している。
【００３５】
そしてこの図３により、インサート編集記録として、ＧＯＰ５の途中の位置を編集開始点、ＧＯＰ１０の途中の位置を編集終了点とし、この編集開始点から編集終了点までの映像データ（本線映像データ及びプロキシ映像データ）を書き換える動作を説明する。
時点ｔ０〜ｔ５は、図２で述べたように編集指示装置２０からコマンドが発行されるタイミングとしている。
【００３６】
図２で述べたように編集指示装置２０からは時点ｔ０でエディット開始要求が発行され、時点ｔ１でプレイ開始要求が発行される。
プレイ開始要求に応じて、制御部５はディスクレコーダ１の本体動作として再生を開始させるが、このときプロキシ処理ＤＳＰ６に対してはストップ要求を行い、プロキシ処理ＤＳＰ６はストップ状態となる。また制御部５は記録再生処理部４に対して再生映像処理を指示する。即ち上述のように記録再生処理部４は、光ディスク９０から読み出されて記録再生用メモリ３に記憶された読出データを処理対象とする。
【００３７】
続いて制御部５はプロキシ処理ＤＳＰ６にエンコード要求を行うが、図３でわかるように、或るＧＯＰ（この例ではＧＯＰ３）の先頭フレームのタイミングでエンコード要求を発行し、プロキシ処理ＤＳＰ６でエンコード処理が開始されるようにしている。
例えば再生を開始し、プロキシ処理ＤＳＰ６をストップ状態とした後、最初に到達するＧＯＰの先頭フレームのタイミングでプロキシ処理ＤＳＰ６にエンコード処理を開始させる。
このように一連のインサート編集記録動作における再生中にエンコード処理が開始された際のデータの流れを図４に示す。図示のように、光ディスク２に対する再生が行われ、本線映像データが読み出される。光ディスク２から読み出された本線映像データは、本線映像メモリエリア３ａを介して記録再生処理部４に供給される。そして記録再生処理部４で処理されて本線映像信号として本線映像出力部１０から出力される。また記録再生処理部４からの本線映像信号はプロキシ処理ＤＳＰ６にも供給される。プロキシ処理ＤＳＰ６ではエンコード処理が行われるため、プロキシ映像データＶＬencがプロキシ用一時バッファ７に蓄積される。但しこの期間のプロキシ映像データＶＬencは、編集開始点からの記録の準備中の再生データについてのプロキシ映像データであり、ディスク９０上で書き換えるデータではないため、ＧＯＰ単位でプロキシ用一時バッファ７に蓄積された後、破棄されることになる。
図３でいえば、ＧＯＰ３，ＧＯＰ４について、プロキシ処理ＤＳＰ６のエンコード処理でプロキシ映像データＶＬencが得られるが、これらが破棄されることになる。
【００３８】
再生が編集開始点に至った時点ｔ２においてＲＥＣ開始要求に応じて、ディスクレコーダ１は記録動作を開始する。
この場合、ＧＯＰ５の途中からが、映像入力部８からの映像信号による映像データに光ディスク９０上で書き換えられていくことになる。
ここで、ＧＯＰ５の先頭フレームから編集開始点までのデータの流れは図５のようになり、編集開始点以降は、図６のようになる。
まず、ＧＯＰ５の先頭フレームから編集開始点までの期間は、引き続き再生中であるため、図５のように光ディスク９０からの再生信号として、記録再生処理部４から本線映像信号ＶＨが出力されている。この間、再生された本線映像信号に基づいてプロキシ処理ＤＳＰ６でエンコード処理が行われているが、ＧＯＰ５が完結するまでは、そのエンコードされたプロキシ映像データＶＬencはプロキシ用一時バッファ７に保存された状態となる。
【００３９】
続いて編集開始点に至ると、記録動作に切り換えられるため、図６のように記録再生処理部４は映像入力部８からの入力映像信号Ｖｉｎに対して処理を行う状態に切り換えられる。そして記録再生処理部４で入力映像信号Ｖｉｎについての本線映像データとしての書込データが生成されて光ディスク９０に書き込まれていく。また入力映像信号Ｖｉｎが本線映像信号ＶＨとしてモニタ装置等に出力される。
この場合、プロキシ処理ＤＳＰ６には入力映像信号Ｖｉｎが供給されることになり、プロキシ処理ＤＳＰ６は入力映像信号Ｖｉｎについてプロキシ映像データＶＬencを生成するエンコード処理を行い、プロキシ映像データＶＬencをプロキシ用一時バッファ７に書き込む。
そしてプロキシ用一時バッファ７においてＧＯＰ５についてのプロキシ映像データＶＬencが完結した時点で、そのＧＯＰ５のプロキシ映像データＶＬencが記録再生用メモリ３にコピーされ、光ディスク９０に書き込まれる。
【００４０】
つまり、編集開始点を含むＧＯＰ５については、編集開始点以前の再生映像（ｎフレーム）と、編集開始点以降の入力映像（１０−ｎフレーム）を合わせた１０フレームのエンコード単位でプロキシ映像データＶＬencが生成され、これがＧＯＰ５のプロキシ映像データとして光ディスク９０上で書き換えられることになる。
以降、ＧＯＰ６，ＧＯＰ７，ＧＯＰ８，ＧＯＰ９の期間は、図６の状態が継続され、それぞれ入力映像信号Ｖｉｎについてのプロキシ映像データが１０フレーム単位で生成されて、光ディスク９０に書き込まれていく。
【００４１】
また、記録動作が編集終了点に至った時点ｔ３においてはＲＥＣ終了要求に応じて、ディスクレコーダ１は記録動作を終了する。この場合、ＧＯＰ１０の途中まで入力映像信号Ｖｉｎに対応する記録が行われることになる。
ここで、ＧＯＰ１０の先頭フレームから編集終了点までのデータの流れは、引き続き図６のようになっており、編集終了点からＧＯＰ１０の最終フレームまでは、図７のようになる。
【００４２】
まず、ＧＯＰ１０の先頭フレームから編集終了点までの期間は、上記した図６のとおりである。但し、ＧＯＰ１０についてのプロキシ処理ＤＳＰ６でエンコードされたプロキシ映像データＶＬencは、ＧＯＰ１０の先頭フレームから編集終了点のフレームまでは、まだＧＯＰ１０が完結していないため、プロキシ用一時バッファ７に保存された状態となっている。
編集終了点に至ると、再生動作に切り換えられるため、図７のように記録再生処理部４は光ディスク９０からされた本線映像データを処理対象とする状態に切り換えられる。そして再生された本線映像信号ＶＨがモニタ装置等に出力される。
この場合プロキシ処理ＤＳＰ６には、再生された本線映像信号が供給され、これに対してエンコード処理を行ってプロキシ映像データＶＬencを生成し、プロキシ用一時バッファ７に書き込んでいく。そしてＧＯＰ１０の最終フレームについてまでプロキシ映像データＶＬencがプロキシ用一時バッファ７に書き込まれた段階で、ＧＯＰ１０に関するプロキシ映像データＶＬencが記録再生用メモリ３にコピーされ、光ディスク９０に書き込まれる。
【００４３】
つまり、編集終了点を含むＧＯＰ１０については、編集終了点以前の入力映像（ｍフレーム）と、編集終了点以降の再生映像（１０−ｍフレーム）を合わせた１０フレームのエンコード単位でプロキシ映像データＶＬencが生成され、これがＧＯＰ１０のプロキシ映像データとして光ディスク９０上で書き換えられることになる。
【００４４】
ＧＯＰ１１、ＧＯＰ１２の期間は、引き続き再生が行われ、データの流れは上記した図４の状態となる。この期間にエンコードされたプロキシ映像データＶＬencについては破棄される。
そして時点ｔ４のプレイ終了要求に応じて再生動作が終了される。このとき、或るＧＯＰ（この例ではＧＯＰ１２）の終端フレームまでのエンコードが行われたタイミングで、プロキシ処理ＤＳＰ６にストップ要求が与えられ、プロキシ処理ＤＳＰ６はエンコードモードを終了する。その後、時点ｔ５のエディット終了要求に応じて一連のインサート編集記録の動作が完了される。
【００４５】
このような動作からわかるように、インサート編集記録で本線映像データについて編集開始点から編集終了点までのデータが書き換えられる際に、複数フレームをエンコード単位とするプロキシ映像データについては、編集終了点を含むＧＯＰ５から編集終了点を含むＧＯＰ１０までが書き換えられることになる。
【００４６】
以上のような動作を行う実施の形態のディスクレコーダ１によれば、まず、インサート編集記録を行う際に、プロキシ処理ＤＳＰ６を編集開始点に先だって十分に早い時点でエンコードモードに切り換えている。図３ではＧＯＰ３のタイミングでエンコードを開始している。これにより、プロキシ処理ＤＳＰ６がデコードモードからエンコードモードに切り換える為の所要時間によって、編集開始点でエンコードが開始できないという事態が生ずることはなくなる。
【００４７】
またエンコード単位であるＧＯＰの先頭フレームのタイミング（図３の場合ＧＯＰ３の先頭フレームのタイミング）で、プロキシ処理ＤＳＰ６にエンコード処理を開始させる。さらには、エンコード単位であるＧＯＰの終端フレームのタイミング（図３の場合ＧＯＰ１２の終端フレームのタイミング）でエンコード処理を終了させる。これによりＧＯＰの整合がとれた状態でプロキシ映像データＶＬencのエンコードを行うことができる。
【００４８】
またＧＯＰ５は編集開始点を含むが、このＧＯＰ５についてのプロキシ映像データＶＬencは、編集開始点までの再生映像と編集開始点以降の入力映像が反映された映像データとなるため、編集開始点を境界に内容が差し替えられた本線映像データとの間の整合もとれたものとなる。
同様にＧＯＰ１０は編集終了点を含むが、このＧＯＰ１０についてのプロキシ映像データＶＬencは、編集終了点までの入力映像と編集終了点以降の再生映像が反映された映像データとなるため、編集終了点を境界に内容が差し替えられた本線映像データとの間の整合もとれたものとなる。
さらに言えば、編集開始点以前にエンコードモードとしておき、これらＧＯＰ３，ＧＯＰ１０に関してもプロキシ映像データの光ディスク９０上での書き換えを行うということは、編集開始点、編集終了点がＧＯＰの途中となっていても問題無いという状況を生み出すことになる。
【００４９】
また編集開始点に先立って再生中の時点からエンコードモードとしておくが、再生中にエンコードされたＧＯＰ３，ＧＯＰ４のプロキシ映像データＶＬencは一旦プロキシ用一時バッファ７に保存された後、破棄されるためディスク９０の記録データを破壊するような影響は生じない。
【００５０】
そして以上のことから、１つのプロキシ処理ＤＳＰ６で選択的に切り換えてエンコード処理／デコード処理を行い、かつ複数フレームをエンコード単位（ＧＯＰ）とするディスクレコーダ１において、インサート編集等の編集記録を適切に実行できる。
【００５１】
なお実施の形態では、プロキシ映像データについて１０フレーム単位でエンコードを行う例を述べたが、もちろん１０フレームに限らず、或る複数フレームをエンコード単位とする場合に上記実施の形態の動作は好適である。
また本線映像データは１フレーム単位の処理としたが、本線映像データが複数フレームで記録用のエンコードを行う場合、その本線映像データのエンコード処理に関して本発明を採用することもできる。
もちろん、主映像データと副映像データを記録再生する記録再生装置に限らず、主映像データのみを記録再生する記録再生装置でも本発明は適用できる。
【図面の簡単な説明】
【００５２】
【図１】本発明の実施の形態のディスクレコーダのブロック図である。
【図２】実施の形態のインサート編集記録の制御シーケンスの説明図である。
【図３】実施の形態のインサート編集記録の動作の説明図である。
【図４】実施の形態の編集中の再生時のデータの流れの説明図である。
【図５】実施の形態の編集中の記録開始時のデータの流れの説明図である。
【図６】実施の形態の編集中の記録時のデータの流れの説明図である。
【図７】実施の形態の編集中の記録終了時のデータの流れの説明図である。
【符号の説明】
【００５３】
１  ディスクレコーダ、２  記録再生ヘッド部、３  記録再生用メモリ、４  記録再生処理部、５  制御部、６  プロキシ処理ＤＳＰ、７  プロキシ用一時バッファ、２０  編集指示装置
【図１】
2008171533.tif 000003
【図２】
2008171533.tif 000004
【図３】
2008171533.tif 000005
【図４】
2008171533.tif 000006
【図５】
2008171533.tif 000007
【図６】
2008171533.tif 000008
【図７】
2008171533.tif 000009